(57)【要約】【課題】複数のユニット形コンデンサ装置の設置に要する手間や部品数を削減し、かつ信頼性の高いコンデンサ装置を提供すること。【解決手段】コンデンサ、リアクトル、開閉器、ヒューズを順次接続したユニット回路を備えたユニット形コンデンサ装置の所要数を、一つの構造部材１９に隣接搭載して固定し、母線を各ユニット形コンデンサ装置Ａに挿通し、各ユニット形コンデンサ装置Ａの回路をその母線に接続して、コンデンサ装置を工場内で完成する。この完成したコンデンサ装置を設置現場に運んで据え付ける。【選択図】  図１
2008294052.tif 000002
【特許請求の範囲】
【請求項１】
コンデンサを収納したコンデンサ容器と、リアクトルや放電コイルを収納した容器と、ヒューズおよび制御回路並びに開閉器を収納した制御箱とを有し、前記コンデンサ、リアクトル、放電コイル、ヒューズおよび制御回路並びに開閉器を結線してなるユニット形コンデンサ装置の複数を共通の構造部材上に近接並列して固定し、前記複数のユニット形コンデンサ装置に挿通された母線に、前記複数のユニット形コンデンサ装置それぞれの前記結線した回路を接続してなることを特徴とするユニット形コンデンサ装置を集合したコンデンサ装置。
【発明の詳細な説明】
【技術分野】
【０００１】
本発明は、電気系統の力率改善などに使用する複数のユニット形コンデンサ装置を配列したコンデンサ装置に関するものである。
【背景技術】
【０００２】
ユニット形コンデンサ装置は、コンデンサ、リアクトル、放電コイル、ヒューズおよび制御回路を含む開閉器が順次結線された１単位の回路を備えて構成され、コンデンサは絶縁油を充填した一つのコンデンサ容器に、リアクトルや放電コイルは絶縁油を充填した一つのコイル容器に、ヒューズおよび制御回路を含む開閉器は制御箱内にそれぞれ収納され、コンデンサ容器の上にコイル容器を載せ、そのコイル容器を積載したコンデンサ容器の前面に制御箱が配置されている。
【特許文献１】実開昭５４−１４３５８号公報
【０００３】
そして、このように構成されたユニット形コンデンサ装置の複数を所定の場所に設置し、各ユニット形コンデンサ装置の回路を母線に接続し、ユニット形コンデンサ装置を一つまたは複数組み合わせて電気系統の力率改善などが行われている。
【０００４】
図３（上面図（ａ）、正面図（ｂ））および図４（結線図）は、従来のユニット形コンデンサ装置の配置構成の一例を示すもので、図４において、Ａはユニット形コンデンサ装置（図示例は４台）、１はコンデンサ、２はリアクトル、３は放電コイル、４は開閉器、５はヒューズ、６は母線挿通用のダクト、Ｌは母線であり、コンデンサ１、リアクトル２、開閉器４およびヒューズ５は順次直列に接続されて母線Ｌに接続されている。
【０００５】
放電コイル３はコンデンサ１に充電された電荷を放出するもので、その一端はリアクトル２と開閉器３の間に接続されている。なお、図示では省略しているが、各ユニット形コンデンサ装置には電流検出センサや温度センサが設けられ、これらの検出信号は制御箱内に設置した制御回路に送られ、また制御回路は開閉器４の開閉を制御する。
【０００６】
また、図３において、７はコンデンサ容器の上に載せられたコイル容器、８は制御箱、９はユニット形コンデンサ装置Ａを搭載する構造部材である。このようなユニット形コンデンサ装置の配置構成は、工場で製造されたユニット形コンデンサ装置Ａと設置現場で電力系統の母線に接続する母線Ｌおよびユニット形コンデンサ装置間を連結するダクト６などを設置現場へ運び込み、設置現場において各ユニット形コンデンサ装置の位置を調整し、ダクト６を取付けて母線Ｌを挿通し、その後、各ユニット形コンデンサ装置Ａの回路を接続し、図３および図４に示すような配置構成が完成される。
【０００７】
このような設置現場での連結調整接続は、多くの時間や手間がかかり、またダクトなど多くの部品を必要とするという問題があった。
【発明の開示】
【発明が解決しようとする課題】
【０００８】
本発明が解決しようとする課題は、複数のユニット形コンデンサ装置の設置に要する手間や部品数を削減し、かつ信頼性の高いコンデンサ装置を提供する点にある。
【課題を解決するための手段】
【０００９】
本発明は、コンデンサ、リアクトル、放電コイル、ヒューズおよび制御回路を含む開閉器が結線された回路を１単位としてなるユニット形コンデンサ装置の複数を隣接配置してなることを特徴とする。
【発明の効果】
【００１０】
本発明では、ユニット形コンデンサ装置を複数単位直接連結するので、工場において所要数のユニット形コンデンサ装置を連結固定した状態で設置現場に運び込むことができ、設置現場での連結調整接続作業が不要となる。また、連結に要する部品を大幅に削減することができ、さらには省スペースを図ることができる。さらにまた、工場において所要数のユニット形コンデンサ装置を連結固定することによって安定した高品質のコンデンサ装置が得られる。
【発明を実施するための最良の形態】
【００１１】
複数のユニット形コンデンサ装置の設置に要する手間や部品数を削減し、かつ信頼性の高いコンデンサ装置を提供する目的を、工場において所要数のユニット形コンデンサ装置を一つの構造部材に隣接して搭載固定し、各ユニット形コンデンサ装置に母線を挿通した後、各ユニット形コンデンサ装置の各回路をその母線に接続して完成させることにより実現した。
【実施例】
【００１２】
図１は本発明の実施例に係るコンデンサ装置の配置構成図であり、（ａ）は上面図、（ｂ）は側面図、図２はコンデンサ装置を構成するユニット形コンデンサ装置の結線図である。なお、図３および図４に示す従来のコンデンサ装置と同一部分および対応する部分には同一の符号を付し、重複する部分の説明は省略する。
【００１３】
図１および図２において、１９は複数のユニット形コンデンサ装置を搭載する構造部材である。本発明にしたがい各ユニット形コンデンサ装置Ａは、一つの構造部材１９に隣接搭載して固定される。この固定によって各ユニット形コンデンサ装置Ａの位置が簡単に揃えられ、また、ユニット形コンデンサ装置間の連結部材を省略することができる。
【００１４】
その後、母線Ｌを各ユニット形コンデンサ装置Ａに挿通し、各ユニット形コンデンサ装置Ａの回路を母線Ｌに接続してコンデンサ装置を工場内で完成する。そして、完成したコンデンサ装置を設置現場に運んで設置する。したがって、設置現場では完成したコンデンサ装置を据え付け、母線Ｌと系統の母線と接続するだけで済み、設置現場における工事期間を大幅に短縮することができる。なお、ユニット形コンデンサ装置間の僅かな隙間から雨水が浸入する恐れがあるが、天板の簡単な工夫、たとえばユニット形コンデンサ装置の天板を傾斜させ、ユニット形コンデンサ装置の天板間に凸状のカバーを配置することによって雨水の浸入を防ぐことができる。
【図面の簡単な説明】
【００１５】
【図１】本発明の実施例に係るコンデンサ装置の配置構成図である。
【図２】本発明の実施例に係るユニット形コンデンサ装置の結線図である。
【図３】従来のコンデンサ装置の配置構成図である。
【図４】従来のユニット形コンデンサ装置の結線図である。
【符号の説明】
【００１６】
Ａ  ユニット形コンデンサ装置
１  コンデンサ
２  リアクトル
３  放電コイル
４  開閉器
５  ヒューズ
７  コイル容器
８  開閉器を収納する制御箱
１９  複数のユニット形コンデンサ装置を搭載する構造部材
【図１】
2008294052.tif 000003
【図２】
2008294052.tif 000004
【図３】
2008294052.tif 000005
【図４】
2008294052.tif 000006